(57)【要約】【課題】注入ステップ長とその回数を地山の地盤状況に応じて任意に設定でき、地山改良と管内充填との連続作業が可能で、かつ、短時間で確実に地山改良が可能な注入材の配合量制御システム、注入用有孔管及び注入用パッカー、並びにこれらを用いた注入材の浸透注入工法を提供する。【解決手段】  地山１２に形成された掘削孔１０内に所定の深さまで注入用有孔管１４を挿入する工程と、前記注入用有孔管１４の内部に注入用パッカー１６を設置する工程と、前記注入用パッカー１６よりも孔底１８側の前記注入用有孔管１４内に浸透配合注入材３４を圧入して孔２２を介して地山１２に注入する工程と、浸透配合注入材３４より硬化時間が短い急硬配合注入材６６を前記注入用パッカー１６よりも孔底１８側の前記注入用有孔管１４内に充填する工程と、前記急硬配合注入材６６の硬化後に、直ちに前記注入用パッカー１６を移動する工程とを有する。【選択図】    図８
2006241786.tif 000002
【特許請求の範囲】
【請求項１】
地山に形成された掘削孔内に所定の深さまで挿入した有孔管の内部にパッカーを設置し、該パッカーよりも孔底側の前記有孔管内に注入材を圧入して前記有孔管の孔を介して地山内に浸透させる浸透注入工法であって、
前記掘削孔内に前記有孔管を挿入する工程と、
前記パッカーを前記有孔管内に挿入して所定の位置に設置する工程と、
前記パッカーよりも孔底側の有孔管内に浸透配合注入材を圧入して前記孔を介して地山に注入する工程と、
前記浸透配合注入材より硬化時間が短い急硬配合注入材を前記パッカーよりも孔底側の前記有孔管内に充填する工程と、
前記急硬配合注入材の硬化後に、直ちにパッカーを孔口側に移動する工程とを有することを特徴とする注入材の浸透注入工法。
【請求項２】
前記浸透配合注入材を注入する工程と、前記急硬配合注入材を注入する工程と、前記パッカーを移動する工程からなる一連のステップを繰り返すことを特徴とする請求項１に記載の注入材の浸透注入工法。
【請求項３】
前記パッカーは、主材を送給する主材用管と、
硬化材を送給する硬化材用管と、
前記主材用管及び前記硬化材用管の外周側に配設され、作動流体圧により膨縮可能な袋状の膨張体と、
先端を切り落とした中空の円錐形状を有し、拡開側の端部が該膨張体の一端に接続され、狭閉側の端部が前記主材用管及び前記硬化材用管の端部を囲うように配設される先端カバーとを備え、該先端カバーの内側にて前記主材と前記硬化材とを混合することを特徴とする請求項１又は２に記載の注入材の浸透注入工法。
【請求項４】
前記浸透配合注入材及び前記急硬配合注入材は、セメント系材料の主材と硬化材とを配合してなるセメント系注入材であり、所望の強度及び硬化時間に応じて、前記主材と前記硬化材との配合比率を調整可能な配合量制御システムにて制御し、前記浸透配合注入材と前記急硬配合注入材とを連続注入することを特徴とする請求項１〜３のいずれかに記載の注入材の浸透注入工法。
【請求項５】
前記有孔管は、一端の端部から長手方向に所定の長さ位置までは前記孔のみが設けられ、該所定の長さの位置から他端の端部までは逆止弁付き孔が設けられ、前記有孔管の前記一端が孔底側になるように、前記掘削孔を掘削しながら又は掘削した後に、前記掘削孔内に挿入されることを特徴とする請求項１に記載の注入材の浸透注入工法。
【請求項６】
地山に形成された掘削孔内に挿入した有孔管内に注入する主材及び硬化材の配合量を制御する注入材の制御システムであって、
主材と水とを混合する第１の混合装置と、
硬化材と水とを混合する第２の混合装置と、
前記第１及び第２の混合装置へ水をそれぞれ供給する第１及び第２の水ポンプと、
前記主材及び前記硬化材が水と混合してなる主材及び硬化材をそれぞれ掘削孔内に送給する第１及び第２の注入ポンプと、
前記第１の注入ポンプを介して前記第１の混合装置から前記掘削孔まで前記主材を送給する第１の送給管と、
前記第２の注入ポンプを介して前記第２の混合装置から前記掘削孔まで前記硬化材を送給する第２の送給管と、
前記第１及び第２の送給管の途中に設けられ、前記主材及び前記硬化材のそれぞれの送給状況を監視する第１及び第２の計測装置と、
前記主材と前記硬化材との配合比率を入力する入力部を有し、該入力部に入力される配合比率と前記第１及び第２の計測装置による計測値とに基づいて、前記第１及び第２の水ポンプ、前記第１及び第２の注入ポンプの供給量を制御する制御装置とを備えることを特徴とする注入材の配合量制御システム。
【請求項７】
地山に形成された掘削孔内に挿入され、外周部に設けられた孔を介して注入材を地山に浸透させる浸透注入工法に使用される有孔管であって、
前記有孔管は、一端の端部から長手方向に所定の長さ位置までは孔が設けられ、該所定の長さの位置から他端の端部までは逆止弁付き孔が設けられることを特徴とする注入材の注入用有孔管。
【請求項８】
地山に形成された掘削孔内に挿入され、外周部に設けられた孔を介して注入材を地山に浸透させる浸透注入工法に使用されるパッカーであって、
主材を送給する主材用管と、
硬化材を送給する硬化材用管と、
前記主材用管及び前記硬化材用管の外周側に配設され、作動流体圧により膨縮可能な袋状の膨張体と、
先端を切り落とした中空の円錐形状を有し、拡開側の端部が該膨張体の一端に接続され、狭閉側の端部が前記主材用管及び前記硬化材用管の端部を囲うように配設される先端カバーとを備えることを特徴とする注入材の注入用パッカー。
【請求項９】
前記先端カバーは、ゴム系の弾性体からなることを特徴とする請求項８に記載の注入材の注入用パッカー。
【発明の詳細な説明】
【技術分野】
【０００１】
本発明は、軟弱地質等の地山に打設した有孔管の内部から注入材を注入し、地山を改良する浸透注入工法に関するものである。
【背景技術】
【０００２】
従来より、地山に形成された掘削孔内に所定の深さまで挿入した有孔管の口元にパッカー又は注入キャップを設置し、このパッカー又は注入キャップよりも孔底側の有孔管内に注入材を圧入して有孔管のすべての孔を介して地山内に注入材を一度に浸透させる方法が行われていた。しかし、この方法では、例えば、水平より上向き掘削孔では、掘削孔の孔口側の圧力が孔底側の圧力よりも大きくなるために、孔口側の地山に多く注入材が注入され、注入材による改良領域の偏りが掘削孔の長さ方向に生じるという問題点があった。また、地山が軟弱であるほどこの傾向は大きくなるという問題点があった。
【０００３】
そこで、１つの掘削孔を所定の長さに分割し、この分割した箇所の湧水や地盤条件に応じてそれぞれ注入量等を変えて注入する方法が提案されている。
【０００４】
例えば、特許文献１には、逆止弁付きの孔が複数設けられた有孔管を掘削孔内に設置し、シングルパッカーを有孔管内に挿入して有孔管の孔底側端部近傍で拡径させて、このシングルパッカーよりも孔底側の有孔管内に注入材を圧入し、逆止弁付きの孔を介して地山に硬化時間が短い低強度の注入材を一次注入し、次に、硬化時間が長い高強度の二次注入材を地山に向けて二次注入する方法が開示されている。この方法では、硬化時間が短い低強度の一次注入材は、有孔管と地山との隙間を辿って有孔管体の口元側に流動し、その過程で地山に弱層部が存在していると、その部分に沿って有孔管の外方に流動し、弱層部内に充満するようにして浸透して、弱層部に粗詰めされた状態になる。この状態で、硬化時間が長い高強度の二次注入材を注入して硬化させ、有孔管の外周に筒状の改良体を形成する。二次注入材が硬化した後に、シングルパッカーを所定の距離だけ孔口側に移動し、再び一次注入材を注入する。つまり、一次注入材を注入する工程と、二次注入材を注入する工程と、シングルパッカーを移動する工程からなる一連のステップを繰り返し、有孔管の外周に筒状の改良体を形成する。
【０００５】
また、逆止弁付きの孔が複数設けられた有孔管を掘削孔内に設置し、ダブルルパッカーを有孔管内に挿入して有孔管の孔底側端部近傍で拡径させて、このダブルパッカー間の有孔管内に注入材を圧入して逆止弁付きの孔を介して地山に注入材を注入し、注入材が硬化するとダブルパッカーを所定の距離だけ孔口側に移動し、有孔管内を注入材にて充填する方法が行われている。この方法では、ダブルパッカー間に注入材を注入する工程と、ダブルパッカーを移動する工程とからなる一連のステップを繰り返して有孔管の外周に筒状の改良体を形成した後に、有孔管内を充填する。
【特許文献１】特開２００４−６８４７３
【発明の開示】
【発明が解決しようとする課題】
【０００６】
しかしながら、特許文献１に記載されている方法では、硬化時間が長い高強度の二次注入材が硬化するまでの間は、シングルパッカーを設置した状態を維持しなければならず、次の注入作業を行うことができないために、作業効率が悪いという問題点があった。
【０００７】
また、一次注入材を注入した後に、二次注入材を注入する際は、主材と硬化材との配合比率を変更するために主材及び硬化材のそれぞれの注入ポンプの注入量の変更及び調整、主材及び硬化材の配管等の盛替え作業等を行わねばならず、人間がこれらの変更、調整等を行うために、作業が多く煩雑で敏速な変更ができないという問題点があった。
【０００８】
そして、有孔管内にダブルパッカーを設置し、ダブルパッカー間の有孔管内に注入材を圧入する方法では、ダブルパッカー間の有孔管内から硬化時間が短い注入材又は硬化強度が高い注入材を注入すると、注入材の一部が有孔管内で硬化してしまい孔底側のパッカーの移動が困難になるという問題があった。
【０００９】
また、ダブルパッカー間の有孔管内にて注入材が硬化することを防ぐために注入区間距離のステップ長を短くしてステップ回数を増加すると、１つの掘削孔に要する注入作業時間が長くなり作業効率が悪くなるという問題点があった。
【００１０】
さらに、有孔管の外周に筒状の改良体を形成した後に、ダブルパッカーを掘削孔内から撤去して有孔管内を充填する作業が必要となり、資機材の盛替え作業量が多くなり時間を要するという問題点があった。
【００１１】
そこで、本発明は、上記の問題点を鑑みてなされたものであり、その目的は、注入ステップ長とその回数を地山の地盤状況に応じて任意に設定でき、地山改良から管内充填までの連続注入が可能で、かつ、短時間で確実に地山改良が可能な注入材の配合量制御システム、注入用有孔管及び注入用パッカー、並びにこれらを用いた注入材の浸透注入工法を提供することである。
【課題を解決するための手段】
【００１２】
前記目的を達成するため、本発明の注入材の浸透注入工法は、地山に形成された掘削孔内に所定の深さまで挿入した有孔管の内部にパッカーを設置し、該パッカーよりも孔底側の前記有孔管内に注入材を圧入して前記有孔管の孔を介して地山内に浸透させる浸透注入工法であって、前記掘削孔内に前記有孔管を挿入する工程と、前記パッカーを前記有孔管内に挿入して所定の位置に設置する工程と、前記パッカーよりも孔底側の有孔管内に浸透配合注入材を圧入して前記孔を介して地山に注入する工程と、前記浸透配合注入材より硬化時間が短い急硬配合注入材を前記パッカーよりも孔底側の前記有孔管内に充填する工程と、前記急硬配合注入材の硬化後に、直ちにパッカーを孔口側に移動する工程とを有することを特徴とする（第１の発明）。
【００１３】
第２の発明は、第１の発明において、前記浸透配合注入材を注入する工程と、前記急硬配合注入材を注入する工程と、前記パッカーを移動する工程からなる一連のステップを繰り返すことを特徴とする。
【００１４】
第３の発明は、第１又は第２の発明において、前記パッカーは、主材を送給する主材用管と、硬化材を送給する硬化材用管と、前記主材用管及び前記硬化材用管の外周側に配設され、作動流体圧により膨縮可能な袋状の膨張体と、先端を切り落とした中空の円錐形状を有し、拡開側の端部が該膨張体の一端に接続され、狭閉側の端部が前記主材用管及び前記硬化材用管の端部を囲うように配設される先端カバーとを備え、該先端カバーの内側にて前記主材と前記硬化材とを混合することを特徴とする。
【００１５】
第４の発明は、第１〜３のいずれかの発明において、前記浸透配合注入材及び前記急硬配合注入材は、セメント系材料の主材と硬化材とを配合してなるセメント系注入材であり、所望の強度及び硬化時間に応じて、前記主材と前記硬化材との配合比率を調整可能な配合量制御システムにて制御し、前記浸透配合注入材と前記急硬配合注入材とを連続注入することを特徴とする特徴とする。
【００１６】
第５の発明は、第１の発明において、前記有孔管は、一端の端部から長手方向に所定の長さ位置までは前記孔のみが設けられ、該所定の長さの位置から他端の端部までは逆止弁付き孔が設けられ、前記有孔管の前記一端が孔底側になるように、前記掘削孔を掘削しながら又は掘削した後に、前記掘削孔内に挿入されることを特徴とする。
【００１７】
第６の発明の注入材の配合量制御システムは、地山に形成された掘削孔内に挿入した有孔管内に注入する主材及び硬化材の配合量を制御する注入材の制御システムであって、主材と水とを混合する第１の混合装置と、硬化材と水とを混合する第２の混合装置と、前記第１及び第２の混合装置へ水をそれぞれ供給する第１及び第２の水ポンプと、前記主材及び前記硬化材が水と混合してなる主材及び硬化材をそれぞれ掘削孔内に送給する第１及び第２の注入ポンプと、前記第１の注入ポンプを介して前記第１の混合装置から前記掘削孔まで前記主材を送給する第１の送給管と、前記第２の注入ポンプを介して前記第２の混合装置から前記掘削孔まで前記硬化材を送給する第２の送給管と、前記第１及び第２の送給管の途中に設けられ、前記主材及び前記硬化材のそれぞれの送給状況を監視する第１及び第２の計測装置と、前記主材と前記硬化材との配合比率を入力する入力部を有し、該入力部に入力される配合比率と前記第１及び第２の計測装置による計測値とに基づいて、前記第１及び第２の水ポンプ、前記第１及び第２の注入ポンプの供給量を制御する制御装置とを備えることを特徴とする。
【００１８】
第７の発明の注入材の注入用有孔管は、地山に形成された掘削孔内に挿入され、外周部に設けられた孔を介して注入材を地山に浸透させる浸透注入工法に使用される有孔管であって、前記有孔管は、一端の端部から長手方向に所定の長さ位置までは孔が設けられ、該所定の長さの位置から他端の端部までは逆止弁付き孔が設けられることを特徴とする。
【００１９】
第８の発明の注入材の注入用パッカーは、地山に形成された掘削孔内に挿入され、外周部に設けられた孔を介して注入材を地山に浸透させる浸透注入工法に使用されるパッカーであって、主材を送給する主材用管と、硬化材を送給する硬化材用管と、前記主材用管及び前記硬化材用管の外周側に配設され、作動流体圧により膨縮可能な袋状の膨張体と、先端を切り落とした中空の円錐形状を有し、拡開側の端部が該膨張体の一端に接続され、狭閉側の端部が前記主材用管及び前記硬化材用管の端部を囲うように配設される先端カバーとを備えることを特徴とする。
【００２０】
第９の発明は、第８の発明において、前記先端カバーは、ゴム系の弾性体からなることを特徴とする。
【発明の効果】
【００２１】
本発明による注入材の浸透注入工法によれば、パッカーよりも孔底側の有孔管内に硬化時間が短い急硬配合注入材を圧入した後に、直ちにパッカーを移動することができるため、注入材の注入作業時間が短くなる。また、浸透配合注入材を圧入した後に、連続して急硬配合注入材を有孔管内に圧入することができるために、配管の盛替え等の作業が不要になり、施工能率が大幅に向上する。
【００２２】
注入材の注入用パッカーにて地山へ注入される直前の有孔管内で主材と硬化材とを混合するために、硬化時間の短い注入材を使用することができる。また、注入用パッカーの先端カバーが弾性体からなることにより、注入材が先端カバーの内側にて硬化しても、再度、注入材を注入すると先端カバーの先端部が拡開し、硬化した注入材を吐出することができる。
【００２３】
また、浸透配合注入材を圧入する工程と、急硬配合注入材を圧入する工程と、パッカーを移動する工程とからなる一連のステップにおいては、注入材注入用のパッカーを使用することにより硬化時間及び硬化強度の影響を受けにくいために、注入ステップ長及び注入回数を地山の状況に応じて適宜変更することができる。
【００２４】
そして、主材と硬化材との配合比率を調整する配合量制御システムは、主材及び硬化材の注入量を計測する計測装置の計測結果を踏まえて調整されるために、精度良く主材と硬化材との配合比率を保つことができる。また、主材と硬化材との配合比率を入力部に入力するだけで主材及び硬化材の注入ポンプの送給量が瞬時に変更されるために、浸透配合注入材を注入した後に、連続して急硬配合注入材を注入することができる。さらに、地山条件が急に変化した場合においても瞬時に、かつ高精度に配合量を変更することができ、効果的な注入ができる。
【００２５】
注入用有孔管は、一端の端部から長手方向の所定の長さ位置までは孔のみが、所定の長さの位置から他端の端部までは逆止弁付き孔が設けられており、すべての孔に逆止弁を設ける場合よりも材料費及び加工費が安価になり、コストを削減することができる。
【発明を実施するための最良の形態】
【００２６】
以下、本発明に係る注入材の配合量制御システム、注入用有孔管及び注入用パッカー、並びに注入材の浸透注入工法の好ましい実施形態について図面を用いて詳細に説明する。なお、発明の理解の便宜上、本実施形態においては、トンネル掘削時の切羽から切羽前方までの地山を改良する方法について説明するが、本発明の適用対象はトンネル掘削工事に限定されるものではなく、地山を改良する工事一般に広く適用が可能である。
【００２７】
図１は、本実施形態に係る注入材の注入状況を示す図である。図１に示すように、トンネルの切羽面の外周に沿って注入材を注入するための掘削孔１０を地山１２に向かって斜め上向きにドリルジャンボ２０等の削孔機により掘削するとともに掘削孔１０内に注入用有孔管１４を挿入する。そして、注入用有孔管１４内に注入用パッカー１６を設置し、この注入用パッカー１６と掘削孔１０の孔底１８との間に注入材を注入して地山１２を改良する。
【００２８】
以下に、本実施形態に係る注入材の浸透注入工法の工程を示す。
【００２９】
図２は、本実施形態に係る注入用有孔管を示す図である。図２に示すように、注入用有孔管１４は一端の端部から長手方向に所定の長さ位置までは孔２２が設けられ、この所定の長さの位置から他端の端部までは逆止弁付き孔２４が設けられる。この逆止弁付き孔２４の逆止弁は、注入用有孔管１４の内部から所定の圧力がかかると弁体が注入用有孔管１４の外方に移動して孔を開放するが、地山側からの圧力に対しては、弁体は孔に密着して孔を開放しないように構成されている。
【００３０】
図３は、本実施形態に係る掘削孔内に注入用有孔管を挿入した状態を示す図である。図３に示すように、地山１２に形成された掘削孔１０内に所定の深さまで注入用有孔管１４を挿入する。そして、注入用有孔管１４の一端が孔底１８側になるように掘削孔１０内に挿入し、注入用有孔管１４と掘削孔１０との隙間の口元部分に注入材の流出を防ぐためのコーキング２６を行う。
【００３１】
図４は、注入用有孔管内に注入用パッカーを設置した状態を示し、図５は、この注入用パッカーの構成を示す図である。図４に示すように、注入用パッカー１６を注入用有孔管１４内に挿入する。注入用パッカー１６は、図５に示すように、主材を送給する主材用管２７と、硬化材を送給する硬化材用管２８と、主材用管２７及び硬化材用管２８の外周側に配設され、作動流体圧により膨縮可能な袋状の膨張体３０と、先端を切り落とした中空の円錐形状を有し、拡開側の端部が該膨張体３０の一端に接続され、狭閉側の端部が主材用管２７及び硬化材用管２８の端部を囲うように配設される先端カバー３２とを備える。この先端カバー３２の内側にて主材と硬化材とを混合する。先端カバー３２の材質はゴム等の弾性体であり、注入材が先端カバー３２の内側に残置して硬化しても、再度、注入材を注入すると先端カバー３２が拡開し、硬化した注入材と新しい注入材とが吐出される。
【００３２】
注入用パッカー１６は、膨張体３０内に窒素又は水等の流体を圧入して膨張させ、膨張体３０部分が注入用有孔管１４の逆止弁付き孔２４のうち最も孔底１８側の逆止弁付き孔２４を塞ぐように設置する。
【００３３】
図６は、本実施形態の浸透注入工法における１ステップ目において浸透配合注入材を地山に注入した状態を示す図である。図６に示すように、浸透配合注入材３４は、注入用パッカー１６よりも孔底１８側の注入用有孔管１４内に圧入され、孔２２を介して地山１２に注入されるが、その際に、逆止弁付き孔２４の逆止弁によって注入用有孔管１４と地山１２との間に入り込んだ浸透配合注入材３４ａが注入用有孔管１４の内部へ流入することが防止される。浸透配合注入材３４は、超微粒子セメントである主材と硬化材とを配合してなるセメント系注入材であり、所望の強度及び硬化時間に応じて、主材と硬化材との配合比率を調整可能な配合量制御システム３６（後述する）にて制御され、注入される。浸透配合注入材３４の硬化時間は、例えば、１５〜３０分程度に設定される。なお、本実施形態においては、浸透配合注入材３４の硬化時間を１５〜３０分としたが、これに限定されるものではなく、地山１２の状況に応じて適宜変更することができる。
【００３４】
そして、浸透配合注入材３４が所定量注入されると注入用有孔管１４の外周の地山１２に筒状の改良体６４が形成される。
【００３５】
図７は、本実施形態で用いられる注入材の配合量制御システムを示す概略図である。図７に示すように、主材と硬化材とを配合する配合量制御システム３６は、主材３８と混練水６０（後述する）とを混合する第１の混合装置としてのミキサー４２と、硬化材３９と水４０とを混合する第２の混合装置としての攪拌器４３と、ミキサー４２から送給される主材３８の濃度を調整するために水４０を供給する第１の水ポンプとしての主材濃度調整用水ポンプ４４と、水４０を攪拌器４３から送給される硬化材３９の濃度を調整するために水４０を供給する第２の水ポンプとしての硬化材濃度調整用水ポンプ４５と、主材３８が水４０と混合してなる主材を掘削孔１０内に送給する第１の注入用ポンプとしての主材用注入ポンプ４６と、硬化材３９が水４０と混合してなる硬化材を掘削孔１０内に送給する第２の注入用ポンプとしての硬化材用送給ポンプ４７及び硬化材用注入ポンプ４８と、主材用注入ポンプ４６を介してミキサー４２から注入用パッカー１６の主材用管２７まで主材を送給する第１の送給管としての主材用送給管５０と、硬化材用送給ポンプ４７及び硬化材用注入ポンプ４８を介して攪拌器４３から注入用パッカー１６の硬化材用管２８まで硬化材を送給する第２の送給管としての硬化材用送給管５１と、主材用送給管５０の途中に設けられ、主材の注入量及び注入圧を計測する第１の計測装置としての主材用流量計５２及び主材用圧力計５３と、硬化材用送給管５１の途中に設けられ、硬化材の注入量及び注入圧を計測する第２の計測装置としての硬化材用流量計５４及び硬化材用圧力計５５と、硬化材用送給ポンプ４７から硬化材用注入ポンプ４８までの送給量を計測するポンプ用流量計５６と、主材と硬化材との配合比率を人間が入力する入力部５７を有し、この入力部５７に入力される配合比率と主材用流量計５２、主材用圧力計５３、硬化材用流量計５４、硬化材用圧力計５５、ポンプ用流量計５６による計測値とに基づいて、主材濃度調整用水ポンプ４４、硬化材濃度調整用水ポンプ４５、主材用注入ポンプ４６、硬化材用送給ポンプ４７、硬化材用注入ポンプ４８のそれぞれの供給量を制御する制御装置５８とを備える。また、超微粒子セメントの凝集を防ぐために、分散材と水とを混合する混練水６０と、この混練水６０をミキサー４２に供給する混練水供給ポンプ６２とを備え、主材と硬化材との配合比率に基づいて制御装置５８が混練水供給ポンプ６２の供給量を制御する。なお、硬化時間を調整するために、硬化材用送給ポンプ４７から送給される硬化材に混和材（図示せず）を添加しても良い。  
浸透配合注入材３４を地山１２に注入する際は、所望の強度及び硬化時間を満たす主材と硬化材との配合比率を入力部５７に入力する。入力部５７に入力された配合比率となるように制御装置５８が主材用注入ポンプ４６、硬化材用注入ポンプ４８を制御する。
【００３６】
浸透配合注入材３４の注入中は、主材用流量計５２、主材用圧力計５３、硬化材用流量計５４、硬化材用圧力計５５にて注入材及び硬化材の注入量及び注入圧力が常時計測され、これらの計測結果に基づいて、制御装置５８が主材用注入ポンプ４６、硬化材用注入ポンプ４８を制御し、所定の配合比率となるように調整する。また、主材濃度調整用水ポンプ４４、硬化材濃度調整用水ポンプ４５にて水の送水量、ポンプ用流量計５６にて硬化材の送給量が常時計測され、これらの計測結果に基づいて、制御装置５８が主材濃度調整用水ポンプ４４、硬化材濃度調整用水ポンプ４５、硬化材用送給ポンプ４７を制御し、浸透配合注入材３４に適した主材、硬化材の濃度となるように調整する。主材用注入ポンプ４６、硬化材用注入ポンプ４８、主材濃度調整用水ポンプ４４、硬化材濃度調整用水ポンプ４５は、流量の精度確保のために、例えば、インバータ制御、機械式回転数制御等の機能を有するポンプを使用する。
【００３７】
図８は、本実施形態の浸透注入工法における１ステップ目において急硬配合注入材を注入用有孔管内に充填した状態を示す図である。図８に示すように、浸透配合注入材３４を注入した後に、浸透配合注入材３４より硬化時間が短い急硬配合注入材６６を注入用パッカー１６よりも孔底１８側の注入用有孔管１４内に充填する。硬化時間の短い急硬配合注入材６６を使用する場合においては、より高い圧力で急硬配合注入材６６を注入しなければならず、主材用注入ポンプ４６、硬化材用注入ポンプ４８の注入量、注入圧等の設定変更が必要である。急硬配合注入材６６の硬化時間は、例えば、３０秒〜１分程度に設定される。なお、本実施形態においては、急硬配合注入材６６の硬化時間を３０秒〜１分としたが、これに限定されるものではなく、適宜変更することができる。
【００３８】
急硬配合注入材６６の配合比率を配合量制御システム３６の入力部５７に入力すると、直ちに制御装置５８が主材用注入ポンプ４６、硬化材用注入ポンプ４８を制御し、急硬配合注入材６６の配合比率となるように調整する。さらに、制御装置５８が自動的に主材濃度調整用水ポンプ４４、硬化材濃度調整用水ポンプ４５、硬化材用送給ポンプ４７をそれぞれ制御し、急硬配合注入材６６に適した主材、硬化材の濃度となるように調整する。したがって、浸透配合注入材３４を注入した後に連続して急硬配合注入材６６を注入することができる。
【００３９】
急硬配合注入材６６の注入中は、上述したように、注入材及び硬化材の注入量及び注入圧力が常時計測され、計測結果に基づいて、制御装置５８が主材用注入ポンプ４６、硬化材用注入ポンプ４８を制御し、所定の配合比率となるように調整するとともに、急硬配合注入材６６に適した主材、硬化材の濃度となるように調整する。
【００４０】
なお、本実施形態においては、浸透配合注入材３４、急硬配合注入材６６を注入する際に、それぞれ浸透配合注入材３４、急硬配合注入材６６の配合比率を入力部５７に入力する方法について示したが、これに限定されるものではなく、浸透配合注入材３４を注入する際に、浸透配合注入材３４の配合比率及び注入量と急硬配合注入材６６の配合比率及び注入量とを入力部５７に予め入力することにより、浸透配合注入材３４の注入から急硬配合注入材６６の注入終了まで全く入力部５７を操作すること無く、つまり、所定量の浸透配合注入材３４を注入すると、自動的に制御装置５８が主材用注入ポンプ４６、硬化材用注入ポンプ４８を制御し、急硬配合注入材６６の配合比率となるように調整し、直ちに急硬配合注入材６６を連続して所定量注入することも可能である。
【００４１】
この配合量制御システム３６は、主材及び硬化材の注入量及び注入圧を計測する計測装置の計測結果を踏まえて調整されるために、精度良く主材と硬化材との配合比率を保つことができる。また、主材と硬化材との配合比率を入力部５７に入力するだけで主材及び硬化材の送給量が瞬時に変更されるために、浸透配合注入材３４を注入した後に、連続して急硬配合注入材６６を注入することができる。さらに、地山１２条件が急に変化した場合においても瞬時に、かつ高精度に配合量を変更することができ、効果的な注入ができる。
【００４２】
図９は、本実施形態の浸透注入工法における１ステップ目において注入用パッカーを孔口側に移動した状態を示す図である。図９に示すように、急硬配合注入材６６が硬化した後に、直ちに注入用パッカー１６の膨張体３０の圧力を解放し、孔口側に移動して、所定の位置に設置する。孔口側への移動距離は、例えば、０．５〜１ｍ程度に設定される。なお、本実施形態においては、注入用パッカー１６の移動距離を０．５〜１ｍとしたが、これに限定されるものではなく、地山１２の状況に応じて適宜変更することができる。
【００４３】
浸透配合注入材３４を圧入する工程と、急硬配合注入材６６を圧入する工程と、注入用パッカー１６を移動する工程からなる一連のステップを改良体６４が孔口まで到達するまで繰り返し行う。
【００４４】
図１０は、本実施形態の浸透注入工法における２ステップ目において浸透配合注入材を地山に注入した状態を示す図である。図１０に示すように、浸透配合注入材３４は、注入用パッカー１６と１ステップ目にて注入用有孔管１４内に充填されて硬化した急硬配合注入材６６との間の注入用有孔管１４内に圧入され、逆止弁付き孔２４を開放し、１ステップ目にて注入用有孔管１４と地山１２との間に充填され、まだ所定の強度に達していない浸透配合注入材３４ａを破壊しながら地山１２に注入される。そして、浸透配合注入材３４が所定量注入されると注入用有孔管１４の外周の地山１２に筒状の改良体６４が形成される。
【００４５】
図１１は、本実施形態の浸透注入工法における２ステップ目において急硬配合注入材を注入用有孔管内に充填した状態を示す図である。図１１に示すように、２ステップ目の浸透配合注入材３４を注入した後に、急硬配合注入材６６を注入用パッカー１６と１ステップ目にて注入用有孔管１４内に充填されて硬化した急硬配合注入材６６との間の注入用有孔管１４内に充填する。
【００４６】
図１２は、本実施形態に係る掘削孔の周囲を改良した状態を示す図である。図１２に示すように、一連のステップを繰り返すと、掘削孔１０の外周に筒状の改良体６４が形成され、この改良体６４が孔口まで到達すると浸透注入作業を終了する。
【００４７】
このような改良体６４は、例えば、トンネルの切羽に形成する際には、切羽面の外周に沿って地山１２内に改良体６４が相互に重なるようにして、複数が隣接設置される。
【００４８】
なお、本実施形態では、浸透配合注入材３４を圧入する工程と、急硬配合注入材６６を圧入する工程と、注入用パッカー１６を移動する工程からなる一連のステップを２回繰り返す方法について示したが、これに限定されるものではなく、地山１２の状況に応じて適宜ステップ数は変更することができる。
【００４９】
本浸透注入工法によれば、注入用パッカー１６よりも孔底１８側の注入用有孔管１４内に硬化時間が短い急硬配合注入材６６を圧入することにより、その注入後、直ちに注入用パッカー１６を移動できるので、注入材の注入時間を短くすることができる。また、注入用パッカー１６よりも孔底１８側の注入用有孔管１４内に浸透配合注入材３４を圧入した後に、連続して急硬配合注入材６６を注入用有孔管１４内に圧入するために、配管の盛替え等の段取りが不要になり、施工能率を大幅に向上することができる。
【図面の簡単な説明】
【００５０】
【図１】本実施形態に係る注入材の注入状況を示す図である。
【図２】本実施形態に係る注入用有孔管を示す図である。
【図３】本実施形態に係る掘削孔内に注入用有孔管を挿入した状態を示す図である。
【図４】注入用有孔管内に注入用パッカーを設置した状態を示す図である。
【図５】注入用パッカーの構成を示す図である。
【図６】本実施形態の浸透注入工法における１ステップ目において浸透配合注入材を地山に注入した状態を示す図である。
【図７】本実施形態で用いられる注入材の配合量制御システムを示す概略図である。
【図８】本実施形態の浸透注入工法における１ステップ目において急硬配合注入材を注入用有孔管内に充填した状態を示す図である。
【図９】本実施形態の浸透注入工法における１ステップ目において注入用パッカーを孔口側に移動した状態を示す図である。
【図１０】本実施形態の浸透注入工法における２ステップ目において浸透配合注入材を地山に注入した状態を示す図である。
【図１１】本実施形態の浸透注入工法における２ステップ目において急硬配合注入材を注入用有孔管内に充填した状態を示す図である。
【図１２】本実施形態に係る掘削孔の周囲を改良した状態を示す図である。
【符号の説明】
【００５１】
１０  掘削孔                      １２  地山
１４  注入用有孔管                １６  注入用パッカー
１８  孔底                        ２０  ドリルジャンボ
２２  孔                          ２４  逆止弁付き孔
２６  コーキング                  ２７  主材用管
２８  硬化材用管                  ３０  膨張体
３２  先端カバー                  ３４  浸透配合注入材
３６  配合量制御システム          ３８  主材
３９  硬化材                      ４０  水
４２  ミキサー                    ４３  攪拌器
４４  主材濃度調整用水ポンプ      ４５  硬化材濃度調整用水ポンプ
４６  主材用注入ポンプ            ４７  硬化材用送給ポンプ
４８  硬化材用注入ポンプ          ５０  主材用送給管
５１  硬化材用送給管              ５２  主材用流量計
５３  主材用圧力計                ５４  硬化材用流量計
５５  硬化材用圧力計              ５６  ポンプ用流量計
５７  入力部                      ５８  制御装置
６０  混練水                      ６２  混練水供給ポンプ
６４  改良体                      ６６  急硬配合注入材
【図１】
2006241786.tif 000003
【図２】
2006241786.tif 000004
【図５】
2006241786.tif 000005
【図７】
2006241786.tif 000006
【図３】
2006241786.tif 000007
【図４】
2006241786.tif 000008
【図６】
2006241786.tif 000009
【図８】
2006241786.tif 000010
【図９】
2006241786.tif 000011
【図１０】
2006241786.tif 000012
【図１１】
2006241786.tif 000013
【図１２】
2006241786.tif 000014